(57)【要約】【課題】  更新用の地図データをユーザに配信するようにしたものにあって、更新用の地図データの不正な使用を効果的に防止する。【解決手段】  ナビゲーション装置１は、記録媒体６に書込まれている更新用（新旧のバージョンの差分）の地図データを読込んで、ハードディスクに書込む。ナビゲーション装置１は、記録媒体６を初期化する際にユニークな個体ＩＤを記録媒体６に書込む。パソコン２は、地図データ配信センタのサーバ３に接続し、個体ＩＤをサーバ３に送信し、サーバ３から更新用の地図データの配信を受け記録媒体６に書込む。サーバ３は、パソコン２から送信された個体ＩＤを属性データとして付加した状態で、更新用の地図データを、会員或いは有料のユーザのパソコン２に対し配信する。ナビゲーション装置１は、記録媒体６から地図データをハードディスクに書込む際に、自らの個体ＩＤと、地図データに属性データとして付加されている個体ＩＤとが一致するかどうかを判断し、一致したときには書込みを許容し、一致していない場合にデータの使用を禁止する。【選択図】  図１
2005331579.tif 000002
【特許請求の範囲】
【請求項１】
地図データ配信センタから配信される更新用の地図データを記録媒体に書込み、その記録媒体を使用して、車載用のナビゲーション装置における地図データを更新するようにした地図データ更新システムであって、
前記記録媒体に書込まれる更新用の地図データには、ナビゲーション装置に付与されたユニークな個体ＩＤが属性データとして付加されるように構成されていると共に、
前記ナビゲーション装置には、自らに付与されている個体ＩＤと前記更新用の地図データに付加された個体ＩＤとが一致するかどうかを判断する判断手段と、この判断手段により個体ＩＤが一致していないと判断されたときに前記記録媒体に書込まれた更新用の地図データを使用できなくする禁止手段とが設けられていることを特徴とする地図データ更新システム。
【請求項２】
更新用の地図データの配信を受ける際に、前記個体ＩＤを前記地図データ配信センタに送信し、該地図データ配信センタ側で前記更新用の地図データにその個体ＩＤが付加されることを特徴とする請求項１記載の地図データ更新システム。
【請求項３】
前記個体ＩＤは、ナビゲーション装置あるいは該ナビゲーション装置が搭載された車両に関する特有の情報からなることを特徴とする請求項１又は２記載の地図データ更新システム。
【請求項４】
前記特有の情報は、前記ナビゲーション装置に記憶されている登録地点や走行履歴の一部に関する情報、あるいは車両の現在位置や累積走行距離に関する情報であることを特徴とする請求項３記載の地図データ更新システム。
【発明の詳細な説明】
【技術分野】
【０００１】
本発明は、地図データ配信センタから通信手段を介して配信される更新用の地図データを記録媒体に書込み、その記録媒体を使用して、車載用のナビゲーション装置における地図データを更新するようにした地図データ更新システムに関する。
【背景技術】
【０００２】
一般に、自動車に搭載されるナビゲーション装置は、例えばＣＤやＤＶＤ等の光ディスクに記憶された地図データを利用して、各種のナビゲーション機能を実現するようになっている。この場合、経年により上記地図データは実情に合わない古いデータとなってしまうため、従来では、定期的（例えば１年毎に）に新年度版の地図データを記録した光ディスクが発売され、ユーザは随時新しいものに買い換えることにより対応するようにしていた。
【０００３】
ところが、これでは、地図データが更新されるのは部分的であるにもかかわらず、全体の地図データ単位で新規に購入して交換するため、効率的でないし、ユーザの経済的な負担も大きくなる。そこで、近年では、ナビゲーション装置のユーザに対し、地図データ供給サーバから、新旧のバージョンの差分（更新用）の地図データのみを、インターネットを通じて配信することにより対応することができるシステムが考えられている（例えば特許文献１参照）。
【特許文献１】特開２００２−２９６０４２号公報
【発明の開示】
【発明が解決しようとする課題】
【０００４】
ところで、上記したような更新用の地図データのみをユーザに配信するシステムにおいては、本来、更新用の地図データは有料で配信される或いは登録された特定の会員のみに配信されるべきである。しかしながら、従来考えられているシステムでは、例えばパソコンにより受信した更新用の地図データが、カード型メモリ等の記録媒体に書込まれ、１つの記録媒体から、複数台のナビゲーション装置に更新用の地図データがコピーされるといったような不正な使用がなされる虞がある。
【０００５】
本発明は上記事情に鑑みてなされたもので、その目的は、更新用の地図データをユーザに配信するようにしたものにあって、前記更新用の地図データの不正な使用を効果的に防止することができる地図データ更新システムを提供するにある。
【課題を解決するための手段】
【０００６】
上記目的を達成するため、本発明の地図データ更新システムは、地図データ配信センタから配信される更新用の地図データを記録媒体に書込み、その記録媒体を使用して、車載用のナビゲーション装置における地図データを更新するようにしたものにあって、前記記録媒体に書込まれる更新用の地図データに、ナビゲーション装置に付与されたユニークな個体ＩＤを属性データとして付加するように構成すると共に、前記ナビゲーション装置に、自らに付与されている個体ＩＤと前記更新用の地図データに付加されている個体ＩＤとが一致するかどうかを判断する判断手段と、この判断手段により個体ＩＤが一致していないと判断されたときに前記記録媒体に書込まれた更新用の地図データを使用できなくする禁止手段とを設けたところに特徴を有する（請求項１の発明）。
【０００７】
これによれば、地図データ配信センタから配信された更新用の地図データが書込まれた記録媒体を使用することにより、ナビゲーション装置における地図データを最新のものに更新することができる。この場合、旧いバージョンからの変更があった一部の地図データのみを更新するものであるから、データ更新を効率的に行うことができ、ユーザの経済的負担も少なく済ませることができる。
【０００８】
そして、上記記録媒体に、ナビゲーション装置に付与されたユニークな個体ＩＤが属性データとして付加されることにより、ナビゲーション装置においてその記録媒体を使用する際に、判断手段により、自らに付与されている個体ＩＤと記録媒体に記録されている個体ＩＤとが一致するかどうかが判断され、個体ＩＤが一致していない場合には、禁止手段により、その記録媒体に書込まれた更新用の地図データが使用できなくなる。従って、更新用の地図データの不正な使用を防止することが可能となる。
【０００９】
上記システムにおいては、更新用の地図データの配信を受ける際に、個体ＩＤを地図データ配信センタに送信し、該地図データ配信センタ側で更新用の地図データにその個体ＩＤが付加される構成とすることができる（請求項２の発明）。これによれば、地図データ配信センタ側から配信されるデータに基づいて記録媒体に個体ＩＤが記録されるので、個体ＩＤ自体の偽装防止効果に優れるものとなり、更新用の地図データの不正な使用をより一層効果的に防止することができる。
【００１０】
この場合、上記個体ＩＤを、ナビゲーション装置あるいは該ナビゲーション装置が搭載された車両に関する特有の情報から構成すると、効果的である（請求項３の発明）。より具体的には、前記特有の情報として、ナビゲーション装置に記憶されている登録地点や走行履歴の一部に関する情報、あるいは車両の現在位置や累積走行距離に関する情報を採用することができる（請求項４の発明）。これにより、個体ＩＤ自体の偽装等の防止に、より効果的となる。
【発明を実施するための最良の形態】
【００１１】
以下、本発明の一実施例について、図面を参照しながら説明する。図１は、本実施例に係る地図データ更新システムの全体構成を概略的に示している。ここで、このシステムは、ユーザの所持する車両（自動車）に搭載されたナビゲーション装置１、前記ユーザが使用可能な情報端末例えばパーソナルコンピュータ２（以下、パソコン２と称する）、地図データ配信センタに設けられたサーバ３及び地図データベース４などから構成される。
【００１２】
そのうちナビゲーション装置１は、詳しく図示はしないが、マイコンを主体として構成され全体の制御を行う制御回路、この制御回路に接続された自車位置検出部、地図データ入力器、液晶パネルからなる表示部、ユーザが各種指示入力を行なうためのキー操作部、音声入出力装置、ハードディスク装置等を備えて構成されている。前記自車位置検出部は、ＧＰＳ受信機、及び、車両に搭載されたジャイロスコープや地磁気センサ等を備え、それらの信号に基づいて自車の現在位置、進行方向、現在時刻等を高精度で検出するようになっている。
【００１３】
また、前記地図データ入力器は、地図データ等を記憶したメディアとしての光ディスク５（例えばＤＶＤ）から地図データを読出すドライブ装置から構成されている。尚、前記光ディスク５は、車両への組付時に購入され、その購入時における最新年度版の地図データが記録されている。更に、本実施例では、この光ディスク５には、予め個々にユニークな個体ＩＤが付与されて記憶されている。
【００１４】
以上のような構成により、ナビゲーション装置１は、周知のような、自己の現在位置及び進行方向を、前記表示部に道路地図と重ね合わせて表示するロケーション機能や、ユーザが指定した目的地までの推奨する経路を計算により探索し、案内するルートガイダンス機能などを実現するようになっている。
更に、このナビゲーション装置１は、例えばカード型のフラッシュメモリからなる記録媒体６が着脱可能にセットされるようになっており、この記録媒体６に対するデータの読書きが可能に構成されている。このとき、詳しくは後述するが、ナビゲーション装置１は、記録媒体６に書込まれている更新用の地図データを読込んで、ハードディスクに書込むようになっている。また、ナビゲーション装置１は、記録媒体６を初期化するようになっており、その際に、前記光ディスク５に付与されているユニークな個体ＩＤを記録媒体６に書込むようになっている。
【００１５】
前記パソコン２は、例えばインターネット等を通じて前記地図データ配信センタのサーバ３に接続可能に構成されていると共に、前記記録媒体６が着脱可能にセットされ、記録媒体６に対するデータの読書きが可能に構成されている。これにて、後述するように、このパソコン２は、前記サーバ３から更新用即ち新旧のバージョンの差分の地図データの配信を受け、その地図データを前記記録媒体６に書込むようになっている。このとき、本実施例では、パソコン２は、更新用の地図データの配信を受ける際には、前記記録媒体６に記憶されている個体ＩＤをサーバ３に送信するようになっている。
【００１６】
前記地図データ配信センタにおいては、前記地図データベース４にナビゲーション装置１で使用される日本全国の地図データが記憶されると共に、常時新しい地図データが構築されるようになっている。そして、前記サーバ３により、旧バージョン（光ディスク５に記憶されている年度版の地図データ）からの差分（変更、追加された分）の地図データ、つまり更新用の地図データを、会員になっているユーザに対し、或いは有料で、インターネット等を通じてユーザのパソコン２に対して配信するようになっている。このとき、本実施例では、前記サーバ３は、ユーザのパソコン２に対して更新用の地図データを配信する際に、該パソコン２から送信された個体ＩＤを、その更新用の地図データに属性データとして付加した状態で配信を行うようになっている。
【００１７】
さて、上記した更新用の地図データが書込まれた記録媒体６を前記パソコン２から取外し、その記録媒体６を前記ナビゲーション装置１にセットすることにより、ナビゲーション装置１にてその記録媒体６から該更新用の地図データが読出されてハードディスクに書込まれ、これにより、地図データを最新のバージョンのものに更新しながらナビゲーション処理を実行することができるようになっている。
【００１８】
このとき、次の作用（フローチャート）説明でも述べるように、ナビゲーション装置１の制御回路は、そのソフトウエア的構成により、前記記録媒体６から更新用の地図データをハードディスクに書込む際に、自らに付与されている（光ディスク５に記憶されている）個体ＩＤと、更新用の地図データに属性データとして付加されている個体ＩＤとが一致するかどうかを判断し、一致したときにはハードディスクへの書込みを許容し、一致していない場合には、更新用の地図データの使用を禁止する、この場合ハードディスクへのコピーを禁止するようになっている。従って、ナビゲーション装置１の制御回路が判断手段及び禁止手段として機能する。
【００１９】
次に、上記構成の作用について、図２ないし図４も参照しながら説明する。今、ナビゲーション装置１（車両）のユーザが、経年により光ディスク５の地図データが古いデータとなってしまいこれを更新したいと考えた場合、記録媒体６を用いた更新用の地図データの取得を行うのであるが、ここではまず、ナビゲーション装置１に記録媒体６をセットし初期化の処理を実行させるようにする。図２のフローチャートは、ナビゲーション装置１（制御回路）が実行する記録媒体６のフォーマット時の処理手順を示しており、ステップＳ１では、記録媒体６の初期化処理が実行される。次のステップＳ２にて、光ディスク５に記録されている個体ＩＤが、その記録媒体６にコピーされるようになり、この処理が終了する。
【００２０】
ユーザは、記録媒体６の初期化処理が終了すると、その記録媒体６をナビゲーション装置１から取外して、今度はパソコン２にセットする。そして、パソコン２を地図データ配信センタ（サーバ３）に接続して、更新用の地図データをダウンロードすることが行われる。図３のフローチャートは、パソコン２が実行する更新用の地図データのダウンロードの処理手順を示している。
【００２１】
即ち、まずステップＳ１１にて、地図データ配信センタのサーバ３との接続、認証が行われる。引続き、ステップＳ１２では、記録媒体６に記憶されている個体ＩＤを、地図データ配信センタに対し送信する処理が実行される。これにて、上述のように、サーバ３は、ユーザのパソコン２に対して、更新用の地図データに個体ＩＤを属性データとして付加した状態で配信を行うようになっている。ステップＳ１３では、地図データ配信センタから更新用の地図データをダウンロードすることが行われ、ステップＳ１４にて、セットされている記録媒体６に、その更新用の地図データを書込む処理が行われる。
【００２２】
このようにして更新用の地図データを取得すると、ユーザは、パソコン２からその記録媒体６を取外し、再びナビゲーション装置１にセットし、記録媒体６に書込まれている更新用の地図データをハードディスク装置にコピーするようにする。図４のフローチャートは、その際に、ナビゲーション装置１（制御回路）が実行する更新用の地図データのコピーの処理手順を示しており、記録媒体６の地図データをコピーするにあたっては、まずステップＳ２１にて、記録媒体６に記録されている地図データに付加された個体ＩＤと、ナビゲーション装置１（光ディスク５）に付与されている個体ＩＤとが一致するかどうかが判断される。
【００２３】
そして、それら個体ＩＤが一致すると判断された場合には（ステップＳ２１にてＹｅｓ）、次のステップＳ２２にて、記録媒体６に記録されている更新用の地図データがハードディスクにコピーされる。これにて、ナビゲーション装置１においては、地図データが最新のものに更新されるようになり、その最新の地図データを用いてナビゲーションの各種処理を実行することができるようになるのである。これに対し、上記ステップＳ２１にて個体ＩＤが一致しないと判断された場合には（ステップＳ２１にてＮｏ）、ステップＳ２３にて、記録媒体６に記録されている更新用の地図データを、コピーすることが拒否されるようになるのである。
【００２４】
これにより、地図データ配信センタから配信された更新用の地図データは、正規の（会員となっている或いは利用料金を支払う）ユーザのナビゲーション装置１においてのみ使用が可能となる。そして、たとえ記録媒体６内の地図データを別の記録媒体にコピーして使用しようとしても、個体ＩＤの一致しない別のナビゲーション装置においては、その地図データを利用することが不可能となるのである。
【００２５】
このように本実施例によれば、地図データ配信センタから配信された更新用の地図データが書込まれた記録媒体６を使用することにより、ナビゲーション装置１における地図データを最新のものに更新することができ、この場合、データ更新を効率的に行うことができ、ユーザの経済的負担も少なく済ませることができる。そして、上記記録媒体６の更新用の地図データに、ユニークな個体ＩＤが属性データとして付加されることにより、ナビゲーション装置１においてその記録媒体６を使用する際に、個体ＩＤが一致していない場合には、その記録媒体６に書込まれた更新用の地図データが使用できなくなるので、更新用の地図データの不正な使用を効果的に防止することが可能となるのである。
【００２６】
尚、本発明は上記した一実施例に限定されるものではなく、次のような拡張、変更が可能である。
即ち、まず、上記実施例では、個体ＩＤが光ディスクに予め付与されている構成としたが、ナビゲーション装置１のハードウエア自身に個体ＩＤを付与する構成としても良い。或いは、個体ＩＤを、ナビゲーション装置１あるいは該ナビゲーション装置１が搭載された車両に関する特有の情報から構成することもでき、この場合、個体ＩＤ自体の偽装等の防止により効果的となる。より具体的には、特有の情報として、ナビゲーション装置１に記憶されている登録地点の情報（例えば自宅の位置情報）や、走行履歴の一部に関する情報（例えば過去の所定の時刻に車両がどの位置にいたかといった情報）、あるいは車両の現在位置や累積走行距離に関する情報を個体ＩＤとすることができる。
【００２７】
また、上記実施例では、更新用の地図データの配信を受ける際に、パソコン２から個体ＩＤを地図データ配信センタに送信し、該地図データ配信センタ側で更新用の地図データにその個体ＩＤが付加される構成としたが、パソコン２において、記録媒体６に更新用の地図データを書込む際に、データの属性エリアに個体ＩＤを書込むようにしても良い。パソコン２において、予め更新用の地図データをダウンロードしておき、その後に記録媒体６にその地図データを書込むようにしても良い。パソコン２を用いるものに限らず、例えば、コンビニや駅等に設置されている情報端末（いわゆるキオスク端末）を用いて更新用の地図データの配信を受けるようにしても良い。
【００２８】
記録媒体６としては、カード型のフラッシュメモリに限らず、磁気ディスクや光ディスクなど様々なメディアを採用することができる。記録媒体６の地図データをナビゲーション装置１のハードディスク等にコピーするのではなく、ナビゲーション装置１に記録媒体６をセットした状態で、そのデータを利用することもできる。この場合、個体ＩＤが不一致の場合には、そのデータの利用を禁止するように構成することができる。その他、本発明は要旨を逸脱しない範囲内で適宜変更して実施し得るものである。
【図面の簡単な説明】
【００２９】
【図１】本発明の一実施例を示すもので、地図データ更新システムの構成を概略的に示す図
【図２】ナビゲーション装置が実行する記録媒体のフォーマット時の処理手順を示すフローチャート
【図３】パソコンが実行する更新用の地図データのダウンロードの処理手順を示すフローチャート
【図４】ナビゲーション装置が実行する更新用の地図データのコピーの処理手順を示すフローチャート
【符号の説明】
【００３０】
図面中、１はナビゲーション装置、２はパソコン、３はサーバ、４は地図データベース、５は光ディスク、６は記録媒体を示す。
【図１】
2005331579.tif 000003
【図２】
2005331579.tif 000004
【図３】
2005331579.tif 000005
【図４】
2005331579.tif 000006